(57)【要約】      （修正有）【課題】他の電気機器を接続してもオーディオの音質レベルが低下するようなことがなく、しかも、オーディオの放つ音調に特質感を付与することも可能な機能性に優れたオーディオ用電源タップの提供。【解決手段】導電性材料を用いたタップケース１内部に、電源プラグの刃部に対応する刃受け金具を金属メッキした複数のコンセント２・２…を、プラグの差込面を外部に露出した状態で複数配設し、かつ、各々接続線３１により並列に連結し、電源コードを介して電源にも接続可能な電源コネクタ３をケース内部に装着して構成される一方、タップケース１内部においては、各コンセント及び電源コネクタ３が取り付けられる中空部１１・１１…を隔壁１２により包囲するとともに、隔壁１２に、中空部１１・１１…同士を空間的に連繋する迂回路１３を形成し、さらに、この迂回路１３に接続線３１を通して電源コネクタ３と各コンセントとを個別的に接続している。【選択図】図４
0003120500.tif 000002
【実用新案登録請求の範囲】
【請求項１】
オーディオ機器の電源プラグＰを複数差し込むことができる電源タップであって、
導電性に優れた材料を用いて作製されたタップケース１内部に、前記電源プラグＰの刃部Ｅに対する刃受け金具21に金属メッキした複数のコンセント２・２…を、プラグＰの差込面22を外部に露出した状態で複数配設し、かつ、前記各々のコンセント２・２…を接続線31によって並列に連結し、電源コード32を介して電源にも接続可能な電源コネクタ３をケース内部に装着して構成される一方、前記タップケース１内部においては、各コンセント２・２…及び電源コネクタ３が取り付けられる中空部11・11…を隔壁12によって包囲するとともに、当該隔壁12に、中空部11・11…同士を空間的に連繋する迂回路13を形成し、さらに、この迂回路13に接続線31を通して電源コネクタ３と各コンセント２・２…とを個別的に接続していることを特徴とするオーディオ用電源タップ。
【請求項２】
タップケース１の材料に、高周波域の電磁波に対する遮蔽性に優れたアルミ合金を使用していることを特徴とする請求項１記載のオーディオ用電源タップ。
【請求項３】
タップケース１が金属塊を切削して作製されていることを特徴とする請求項１または２に記載のオーディオ用電源タップ。
【請求項４】
タップケース１におけるコンセント２の差込面22周縁が、電気プラグＰの先端部と嵌合可能な沈み穴15に形成されていること特徴とする請求項１〜３の何れか一つに記載のオーディオ用電源タップ。
【請求項５】
コンセント２の刃受け金具21に施す金属メッキの材料として、電導性及び不銹性に優れた貴金属が用いられていることを特徴とする請求項１〜４の何れか一つに記載のオーディオ用電源タップ。
【請求項６】
コンセント２が、タップケース１に対して着脱容易に構成されていることを特徴とする請求項１〜５の何れか一つに記載のオーディオ用電源タップ。
【考案の詳細な説明】
【技術分野】
【０００１】
本考案は、電源タップの改良、詳しくは、オーディオ機器の音質を向上させることができるとともに、他の接続機器からの悪影響を大幅に軽減することも可能なオーディオ用電源タップに関するものである。
【背景技術】
【０００２】
周知のとおり、オーディオファンの間では、複数のオーディオ機器若しくはそれに関連した電気製品を同時に作動させるために、備え付けのコンセントを直接使用せず、中間に専用の電源タップを介して電源接続するのが一般的である。
【０００３】
また、オーディオファンは、オーディオ機器が放つ音質の向上に関しては極めて熱心であり、電源接続一つとっても、より音質を向上させる手段がないか常に求めている。
【０００４】
そして、従来においては、このようなオーディオファンの要望に応えるために、オーディオ機器の電源プラグとコンセントとの間に板状のプラグ固定具を挟み込むことにより、電源プラグのぐらつきを防ぎ、プラグのぐらつきによって起こるノイズを解消する技術が提案された（例えば、特許文献１参照）。
【０００５】
ところで、電源内へのノイズの混入は、電源プラグのぐらつきによってだけでなく、電線の震動やインバータ等を使用する他の接続機器に起因することも多く、大抵の場合、備え付けコンセントに至る迄に電気に何らかのノイズが混入してしまっている。
【０００６】
しかしながら、上記の従来技術は、このような既に混入したノイズに対して効力が全く無いことから、上記ノイズを回避するためには、極めて高価な自主電源を用いてオーディオ機器を作動させるしかなく、非常に不経済であった。
【０００７】
また、＜特許文献２＞にあるような一般的な電源タップにおいては、タップケース内部が一体的な中空空間であったことから、複数のオーディオ機器や電気製品を接続して使用する際に、電源プラグと結合したコンセント各々の周縁に電磁界が発生し、これらが干渉し合って相互作用することで新たなノイズが生じてしまっていた。
【０００８】
加えて、従来の電源タップはコンセントが直列に接続されていたことから、電源タップに接続した他の電気機器で発生したノイズが逆流して、他のコンセントに接続したオーディオ機器に悪影響を及ぼしていたため、結果的にオーディオ機器が放つ音質はオーディオファンが満足できるレベルには到底至らなかった。
【０００９】
そしてまた、従来においては、上記のような電源ノイズの抑制を目的とした電源タップは存在したものの、接続したオーディオ機器の音質に多様性を持たせることを目的としたものは見受けられず、機能的な物足りなさを感じさせていた。
【特許文献１】実開平７−４２０１１号公報（第２−１２頁、第１−５図）
【特許文献２】特開２００２−９３５３５号公報（第２−４頁、第１−７図）
【考案の開示】
【考案が解決しようとする課題】
【００１０】
本考案は、この上記の問題に鑑みてなされたものであって、その目的とするところは、オーディオ機器の音質を向上させることができると共に、更に一歩進んで、他の電気機器を接続してもオーディオ機器の音質レベルが低下することがなく、しかも、オーディオ機器の放つ音調に特質感を付与することも可能な機能性に優れたオーディオ用電源タップを提供することにある。
【課題を解決するための手段】
【００１１】
本考案者が、上記課題を解決するために採用した手段を添付図面を参照して説明すれば次のとおりである。
【００１２】
即ち、本考案は、オーディオ機器の電源プラグＰを複数差し込むことができる電源タップであって、
導電性に優れた材料を用いて作製されたタップケース１内部に、前記電源プラグＰの刃部Ｅに対応する刃受け金具21を金属メッキした複数のコンセント２・２…を、プラグＰの差込面22が外部に露出した状態で配設し、かつ、前記各々のコンセント２・２…を接続線31により並列に連結し、電源コード32を介して電源にも接続可能な電源コネクタ３をケース内部に装着して構成する一方、前記タップケース１内部においては、コンセント２・２…及び電源コネクタ３が取り付けられる中空部11・11…を隔壁12により包囲するとともに、当該隔壁12に、中空部11・11…同士を空間的に連繋する迂回路13を形成し、さらに、この迂回路13に接続線31を通して電源コネクタ３と各コンセント２・２…とを個別的に接続した点に特徴がある。
【００１３】
また、本考案においては、上記課題を解決するために、必要に応じて上記手段に加え、タップケース１の材料に、高周波域の電磁波に対する遮蔽性に優れたアルミ合金を用いるという技術的手段を採用することができる。
【００１４】
また、本考案においては、上記課題を解決するために、必要に応じて上記手段に加え、金属塊を切削してタップケース１を作製するという技術的手段を採用することができる。
【００１５】
また、本考案においては、上記課題を解決するために、必要に応じて上記手段に加え、タップケース１におけるコンセント２の差込面22周縁を、電気プラグＰの先端部と嵌合可能な沈み穴15状に形成するという技術的手段を採用することができる。
【００１６】
また、本考案においては、上記課題を解決するために、必要に応じて上記手段に加え、コンセント２の刃受け金具21に施す金属メッキの材料として、電導性及び不銹性に優れた貴金属を用いるという技術的手段を採用することができる。。
【００１７】
また、本考案においては、上記課題を解決するために、必要に応じて上記手段に加え、コンセント２を、タップケース１に対して着脱容易に構成するという技術的手段を採用することができる。
【考案の効果】
【００１８】
本考案においては、タップケース全体を導電性に優れた材料で作製するとともに、タップケース内部に、電源コネクタ及びコンセントが装着される中空部を別個に形成して、これらの中空部を迂回路で繋げ、この迂回路に接続線を通して電源コネクタと各コンセントとを接続したことにより、迂回路内を走る接続線に電力が流れた際に、高周波域の乱れた電磁波を迂回路の周壁に反射吸収させて接続線周辺に発生する電磁界を一定せしめることができるため、電力に混入しているノイズをコンセントに至る迄に減退させることができる。そして、これによって、ノイズの混入が多い備え付けのコンセントからの電源を使用してオーディオ機器を作動させた場合であっても、満足度の高い清澄な音質を得ることが可能となる。
【００１９】
また、タップケース内部において、コンセントを取り付けられる中空部を隔壁によって包囲したことにより、コンセント周辺に生じる電磁界を中空部内で遮蔽できることから、各コンセント周辺に発生した電磁界同士が干渉し合うようなことはない。そのため、複数の電気機器をタップに接続した際に、それが原因で起こる新たなノイズの発生を防ぐことができる。
【００２０】
加えて、電源コネクタと各コンセントとを接続線によって並列に連結したことにより、特定の電気機器から逆流してきたノイズが他の接続機器へと至るには、一旦電源コネクタを介す必要があることから、直列に接続した場合と比較してノイズの移動距離が大幅に伸びることとなるため、格段に逆流ノイズの悪影響を軽減することができる。加えて、その逆流ノイズは迂回路でさらに減退させることができるため、逆流ノイズの弊害を著しく低減することが可能である。
【００２１】
そしてまた、コンセントの刃受け金具を金属メッキしたことにより、このメッキの電気抵抗で電流に微妙な変調を加えることができ、その変調によって、オーディオ機器の音調にメッキ材料に応じた特質感を付与することが可能となることから、妙味に溢れた音楽を楽しむことができる。
【００２２】
したがって、本考案により、接続したオーディオ機器の音質レベルをオーディオファンが納得できるレベルに向上させることができ、接続した他の電気機器の影響に煩わされることのないオーディオの使用に適した電源タップを提供することができることから、本考案の実用的利用価値は頗る高いと云える。
【考案を実施するための最良の形態】
【００２３】
『第１実施形態』
本考案の第１実施形態を具体的に図示した図１から図３に基いて更に詳細に説明すると次のとおりである。まず、図中において符号１で指示するものは、導電性に優れた材料により作製されたタップケースであり、符号２で指示するものは、コンセントである。そして、符号３で指示するものは、電源コネクタである。
【００２４】
次に、本実施形態の構成を以下から説明する。まず、本実施形態においては、タップケース１の内部に、電源プラグＰの刃部Ｅを差し込むことができるコンセント２を差込面21が外部に露出した状態で複数配設した（図１、図２参照）。
【００２５】
さらに、タップケース１内部には、これらのコンセント２を接続線31で並列に連結する電源コネクタ３を、電源コード32との接続部をケース外面に露出した状態で装着した（図３、図４参照）。このような構成によって、オーディオを含めた複数の電気機器の電源プラグＰ・Ｐ…を差し込むことができる電源タップを作製した。
【００２６】
なお、本実施形態では、タップケース１の材料に、高周波域の電磁波に対する遮蔽性に優れたアルミ合金を使用している。
【００２７】
また、タップケース１には下蓋15を設け、この下蓋15を取り外すことによってコンセント２・２…と電源コネクタ３の装着を極めて容易にできるようにした。
【００２８】
そして、コンセント２の刃受け金具21には、接続したオーディオ機器の音調に特質感を付与するとともに、プラグＰの抜き差しによる剥がれが生じ難いロジウムを用いて金属メッキを行った。
【００２９】
なお、コンセント２の刃受け金具21に施す金属メッキの材料には、電導性及び不銹性に優れた貴金属を使用するのが好ましく、以下に、ロジウムを含んだ使用され得るメッキ材料の種類、及び、その材料を用いた場合におけるオーディオ機器の音質の特徴を併せて例示する。
〈ニッケルメッキ〉
ニュートラルな音質で特に中域のエネルギーがある。
〈金メッキ〉
滑らかで透明度の高い綺麗な音色である。また、不銹性に非常に優れているため、長期使用しても音調が損なわれることはない。
〈銀メッキ〉
高域に独特の音色があり、澄みきった音場に魅力がある。
〈ロジウムメッキ〉
澄み切った音場でＳＮ比が高く高域の伸びが特徴である。
〈パラジウムメッキ〉
白金の中で特に明るく明快なサウンドであるとともに、非常にＳＮ比も高くワイルドレンジなサウンドである。
〈ルテニウムメッキ〉
音楽性を向上させる深みのあるサウンドである。
【００３０】
また、タップケース１内部においては、コンセント２・２…及び電源コネクタ３が取り付けられる中空部11・11…を隔壁12によって包囲し、さらに、当該隔壁12に、中空部11・11…同士を空間的に連繋する迂回路13を形成した（図３参照）。そして、この迂回路13に接続線31を通して電源コネクタ３と各コンセント２・２…とを個別的に接続して全体を構成した。
【００３１】
上記のように構成したことによって、接続線31に電力が流れる際に、乱れた電磁波を迂回路13の周壁で反射させて電磁界を一定せしめることにより、電力に混入したノイズを減退させることができるため、備え付けのコンセントから電源を得る場合でもオーディオ機器に使用した場合でも清澄な音質を実現することができる。
【００３２】
さらに、タップケース１内部に形成されたコンセント２・２…が取り付けられる中空部11・11…を隔壁12によって包囲したことにより、コンセント周辺に生じる電磁界を遮蔽することができるため、各コンセント周辺に発生した電磁界同士が接触して相互作用することはなく、複数の電気機器をタップに接続したとしても新たなノイズが発生するようなことはない。
【００３３】
加えて、電源コネクタ３と各コンセント２・２…とを迂回路32に接続線31を通して個別的に接続したことにより、各コンセントが並列的に接続されるとともに、迂回路13を通してノイズを減退させることができるため、コンセントに接続した電気機器に起因して発生するノイズが他の接続機器に及ぼす弊害を解消することができる。
【００３４】
そしてまた、コンセント２の刃受け金具21を金属メッキしたことによって、このメッキの電気抵抗で電流に微妙な変調を加えることができ、その変調によって、オーディオ機器の音調にメッキ材料に応じた特質感を付与することが可能となることから、妙味に溢れた音楽を楽しむことができる。
【００３５】
なお、本実施形態では、アルミ合金の金属塊を切削して中空部11・11…及び迂回路13を有したタップケースを作製した。これにより、タップケース１を組立式のものと比較してより堅固な構造とすることができることから、外部からの影響によって起こるタップケース１の振動を抑制することができるため、ケースの振動による電磁場の揺らぎによって発生するノイズを大幅に低減することができる。
【００３６】
また、タップケース１おけるコンセント２の差込面22周縁を、電気プラグＰの先端部と嵌合可能な沈み穴15状に形成したことにより、電源プラグＰを差し込んだ際のプラグＰのぐらつきに起因したノイズを防止することもできる。
【００３７】
『第２実施形態』
本考案の第２実施形態を図５から図７に基いて以下に説明する。本実施形態では、コンセント２・２…をタップケース１に二列で配設するとともに、タップケース１の上面及び側面の両方にコンセント２の差込面22が表れるように構成した（図５参照）。これによって、様々な使用状況で適用可能な電源タップを作製することができる。
【００３８】
そして、タップケース１には、コンセント２・２…の配置に対応した中空部11・11…を設けるとともに、この中空部11・11…の外周には迂回路13を配設した。さらに、迂回路13に関しては、中空部11への進入口を向き合わないように形成した（図６、図７参照）。
【００３９】
また、本実施形態においては、タップケース１の材料に、アルミよりも低い帯域の電磁波に対しての遮蔽効果に優れた銅合金を用いた。
【００４０】
さらに、本実施形態では、コンセント２・２…をタップケース１内部に対しネジ材を用いて着脱容易に装着したことにより、装着したコンセント２を刃受け金具21に異なる種類の金属メッキが施されたコンセント２へと取り替えることが容易となるため、金属メッキの選択及び変更を行う際に非常に便利である。
【００４１】
また、本考案は、概ね上記のように構成されるが、図示の実施形態に限定されるものではなく、「実用新案登録請求の範囲」の記載内において種々の変更が可能であって、例えば、コンセント２の刃受け金具21に使用するメッキの材料は、上記に挙げたもの以外の材料でも音質に対する効果が認められるものならば何れを使用してもよい。
【００４２】
また、タップケース１の材料も導電性に優れたものならば、アルミ合金や銅合金に限られることはなく、勿論、コンセント２の配置や数に関しても想定される使用状況に合わせて変更してもよく、何れも本考案の技術的範囲に属する。
【産業上の利用可能性】
【００４３】
最近では、家庭でより質の高い音楽を楽しむために非常に高価なオーディオ機器や接続部品を購入することを厭わない熱心なオーディオファンが多い。そして、彼等は、それらの機器や部品を組み合わせてより音質を向上させる方法がないか、様々な試行錯誤を繰り返している。ところが、市場においては、未だに、オーディオファンが満足できる音質レベルを実現するために効果的といえる電源タップを見受けることができない。
【００４４】
そのような中で、本考案のオーディオ用電源タップは、電源タップの内外で発生する電磁ノイズの悪影響を最小化し、さらに、オーディオ機器の音調に特質感を付与して妙味のある音質を実現できる非常に有効な技術であることから、上記のオーディオファンの要望に充分に応えることができるため、本考案の産業上の利用価値は非常に高いと云える。
【図面の簡単な説明】
【００４５】
【図１】本考案の第１実施形態における電源タップを表わす全体斜視図である。
【図２】本考案の第１実施形態における電源タップの内部構造を表わす説明断面図である。
【図３】本考案の第１実施形態における電源タップの内部構造を表わすブロック図である。
【図４】本考案の第１実施形態における電源タップ内部を表わす分解斜視図である。
【図５】本考案の第２実施形態における電源タップを表わす全体斜視図である。
【図６】本考案の第２実施形態における電源タップの内部構造を表わすブロック図である。
【図７】本考案の第２実施形態における電源タップ内部を表わす分解斜視図である。
【００４６】
１  タップケース
11  中空部
12  隔壁
13  迂回路
14  沈み穴
15  下蓋
２  コンセント
21  刃受け金具
22  差込面
３  電源コネクタ
31  接続線
32  電源コード
Ｐ  電源プラグ
Ｅ  刃部
【図１】
0003120500.tif 000003
【図２】
0003120500.tif 000004
【図３】
0003120500.tif 000005
【図４】
0003120500.tif 000006
【図５】
0003120500.tif 000007
【図６】
0003120500.tif 000008
【図７】
0003120500.tif 000009